(57)【要約】【課題】ドライアイ症状を訴える画像モニター使用者の目に適切な室内空気の加湿を行うためには長い時間がかかり、また多くの加湿水と多量の加湿水の蒸発に要する多くの電力を消費するために、画像モニター使用者の目に集中し短時間により省エネルギーで加湿が行え、電源は画像モニター装置あるいはパーソナルコンピューターより供給される画像モニター用加湿装置を提供することを目的とする。【解決手段】画像モニター装置本体１に画像モニター使用者の目の方向に対して加湿した空気を送風する加湿手段２を備え、画像モニター使用者の目の周辺に範囲を絞って加湿した空気が送風され、少量の加湿水と少ない加湿に要する電力で短時間に目の加湿を行うことでドライアイの症状を効果的に緩和でき、また、電源供給が画像モニター装置あるいはパーソナルコンピュ−ターのため、新たに電源コンセントを不要にできる効果が得られる。【選択図】図１
2007139354.tif 000002
【特許請求の範囲】
【請求項１】
画像を表示する画像モニター装置本体に画像モニター装置使用者の目の方向に対して加湿した空気を送風するようにする加湿手段を備え、電源は画像モニター装置あるいはパーソナルコンピュ−ターより供給されることを特徴とする画像モニター用加湿装置。
【請求項２】
電源の供給は、ユニバーサルシリアルバスより供給することを特徴とする請求項１記載の画像モニター用加湿装置。
【請求項３】
パーソナルコンピュ−ターから運転停止制御を行えるようにした請求項２記載の画像モニター用加湿装置。
【請求項４】
パーソナルコンピュ−ターから加湿量制御を行えるようにした請求項２記載の画像モニター用加湿装置。
【請求項５】
パーソナルコンピュ−ターから運転開始までの時間を制御することができるようにした請求項２記載の画像モニター用加湿装置。
【請求項６】
パーソナルコンピュ−ターから停止までの時間を制御することができるようにした請求項２記載の画像モニター用加湿装置。
【請求項７】
パーソナルコンピュ−ターから運転開始時刻の設定あるいは運転開始時刻に運転信号を自動送信できるようにした請求項２記載の画像モニター用加湿装置。
【請求項８】
パーソナルコンピュ−ターから停止時刻の設定あるいは停止時刻に停止信号を自動送信できるようにした請求項２記載の画像モニター用加湿装置。
【請求項９】
停止信号を受信した後、規定時間の残留運転時間を有することを特徴とする請求項２記載の画像モニター用加湿装置。
【請求項１０】
パーソナルコンピュ−ターから運転開始・停止させるためにユニバーサルシリアルバスより電源を供給・遮断することで運転・停止を制御することができるようにした請求項２記載の画像モニター用加湿装置。
【請求項１１】
運転継続時間に応じて、揺らぎ風を送風することができるようにした請求項１記載の画像モニター用加湿装置。
【請求項１２】
加湿手段に画像モニター装置使用者の存在を感知する人体感知手段を備え、人体の存在を継続感知した時間に応じて、揺らぎ風の送風や風速変更することができるようにした請求項２記載の画像モニター用加湿装置。
【請求項１３】
加湿装置の傾斜角度に応じて、送風量を制御することができるようにした請求項１記載の画像モニター用加湿装置。
【請求項１４】
加湿装置の傾斜角度が規定の角度を超えた場合、送風を停止することを特徴とする請求項２記載の画像モニター用加湿装置。
【発明の詳細な説明】
【技術分野】
【０００１】
本発明は、画像モニター利用者の目の乾燥を緩和するための画像モニター用加湿装置に関する。
【背景技術】
【０００２】
近年、パーソナルコンピュ−ターの普及や、会社やオフィスで業務にコンピューターを活用することが一般化してきているが、このコンピューターの画像モニターを利用する使用者は画像内容を把握するために長時間画像モニターを見つめている場合が多く、表示内容を凝視することで、瞬き回数が減り、目を開いている時間が長くなるために、これに伴い眼球を覆う水分が蒸発し、一般的に言うドライアイの症状を訴える人が増加傾向にある。  また、これらコンピューターを利用する一般家庭の居室やオフィス等の空気湿度環境も多くのＯＡ機器の発生する熱や温度調節を行う空調機の影響で乾燥化の傾向にあり、ますます画像モニター使用者のドライアイ傾向に拍車を掛けている状況にあり、このようなドライアイを改善させるための空気の加湿に対する要求はますます高まっている。
【０００３】
この種の画像モニター使用者のドライアイを改善するための加湿装置は前例が無く、画像モニターを利用している室内空間全体を加湿する加湿機の利用が一般的であった（例えば、特許文献１参照）。
【０００４】
以下、その加湿装置について図２２を参照しながら説明する。
【０００５】
図に示すように装置の躯体を成す本体１０１の内部に加湿水を溜める水槽１０２と加湿水を蓄えて水槽１０２に加湿水を供給する給水用水タンク１０３と水槽１０２に溜まった加湿水に一部を浸し加湿水を保水する気化フィルター１０４とこの気化フィルター１０４の中央部に気化フィルター１０４を回転させるための中心軸１０５と外気を導入し気化フィルター１０４に対して風を吹き付けて送風する送風装置１０６とこの送風装置１０６からの送風空気を加熱するヒーター１０７と送風装置１０６から送風されヒーター１０７と加湿フィルター１０４を通過した空気を本体１０１の外部に送り出す吹出口１０８からなり、給水用水タンク１０３から水槽１０２に供給された加湿水は中心軸１０５に対して回転する気化フィルター１０４により保水され、この気化フィルター１０４に保水された加湿水は送風装置１０６から送風されヒーター１０７により加熱された送風空気により気化フィルター１０４から蒸発し、この加湿水の蒸発により送風空気は加湿され、この加湿された送風空気は吹出口１０８から本体１０１の外部に吹き出すこととなりこれにより本体１０１の設置された周囲の空気を加湿するものであった。
【特許文献１】特開２００５−３７０１１号公報
【発明の開示】
【発明が解決しようとする課題】
【０００６】
このような従来の一般的な加湿装置においては加湿装置が設置された室内全体の加湿が対象となるために、ドライアイ症状を訴える画像モニター使用者の目に適切な室内空気の加湿状態に乾燥した空気を加湿するためには長い時間がかかり、また多くの加湿水とこの多量の加湿水を蒸発させるために多くの電力を消費する課題があった。
【０００７】
本発明は、このような従来の課題を解決するものであり、画像モニター使用者の目に範囲を集中して短時間に、少ない加湿水でより省エネルギーの加湿を行うことで効果的に目の乾燥を防ぎドライアイの症状を緩和することができ、また、電源供給が画像モニター装置あるいはパーソナルコンピュ−ターより供給される画像モニター用加湿装置を提供することを目的としている。
【０００８】
また、規格化されたユニバーサルシリアルバスより電源供給されることで、メーカーや機種を選ぶことなく、どのパーソナルコンピュ−ターからも電源供給を可能にした画像モニター用加湿装置を提供することを目的としている。
【０００９】
さらに、パーソナルコンピュ−ターから画面モニター上に表示されている運転状況を見ながら容易な操作で運転停止制御が確認できるようにした画像モニター用加湿装置を提供することを目的としている。
【００１０】
また、パーソナルコンピュ−ターから画面モニター上に表示されている加湿量状況を見ながら容易な操作で加湿量制御が確認できるようにした画像モニター用加湿装置を提供することを目的としている。
【００１１】
さらに、パーソナルコンピュ−ターから画面モニター上に表示されている運転開始までの時間（今から何時間後）を容易な操作で入力し、画面モニター用加湿装置に運転開始までの時間データを送信できるようにした画像モニター用加湿装置を提供することを目的としている。
【００１２】
また、パーソナルコンピュ−ターから画面モニター上に表示されている停止開始までの時間（今から何時間後）を容易な操作で入力し、画面モニター用加湿装置に停止開始までの時間データを送信できるようにした画像モニター用加湿装置を提供することを目的としている。
【００１３】
さらに、パーソナルコンピュ−ターから画面モニター上に表示されている運転開始時刻を容易な操作で設定し、運転開始時刻に達した時点でパーソナルコンピュ−ターから運転信号を自動送信できるようにした画像モニター用加湿装置を提供することを目的としている。
【００１４】
また、パーソナルコンピュ−ターから画面モニター上に表示されている運転停止時刻を容易な操作で設定し、運転停止時刻に達した時点でパーソナルコンピュ−ターから停止信号を自動送信できるようにした画像モニター用加湿装置を提供することを目的としている。
【００１５】
さらに、画像モニター使用者が画面モニター上で停止処理をした場合に停止信号を受信した後、残留運転を有することで画像モニター使用者の目をクールダウンができるようにした画像モニター用加湿装置を提供することを目的としている。
【００１６】
また、パーソナルコンピュ−ターから画面モニター上に表示されている運転・停止状態に連動してユニバーサルシリアルバスより電源を供給・遮断、あるいは運転停止信号を送信することで運転・停止を制御することができる画像モニター用加湿装置を提供することを目的としている。
【００１７】
さらに、画像モニター使用者の運転継続時間に応じて、一定風量の送風と揺らぎ風の送風に分けて運転することで、運転継続時間に応じたモニター使用者の目にあたる送風の違和感を軽減することができるようにした画像モニター用加湿装置を提供することを目的としている。
【００１８】
また、人体の存在を感知し、継続的に人体感知した時間に応じて、揺らぎ風や風量変更し、画像モニター使用者の目の負担を軽減するとともに省エネ運転を実現することができるようにした画像モニター用加湿装置を提供することを目的としている。
【００１９】
さらに、加湿装置の風向の傾斜角度が目にあたる方向と反するレベルに応じて、送風量を段階的に制御することを可能としたことで無駄な運転低減し省エネを実現できるようにした画像モニター用加湿装置を提供することを目的としている。
【００２０】
また、加湿装置の風向の傾斜角度が目にあたる方向と反するレベルを超えた場合、異常と判断して送風を停止することを可能としたことで無駄な運転及び危険防止を実現できるようにした画像モニター用加湿装置を提供することを目的としている。
【課題を解決するための手段】
【００２１】
本発明の画像モニター用加湿装置は上記目的を達成するために、画像モニター装置本体に画像モニター装置使用者の目の方向に対して加湿した空気を送風するようにする加湿手段を備え、電源は画像モニター装置あるいはパーソナルコンピュ−ターより供給されることを特徴としたものである。
【００２２】
この手段により画像モニター使用者の目に範囲を集中して短時間に、少ない加湿水でより省エネルギーの加湿を行うことで効果的に目の乾燥を防ぎ、ドライアイの症状を緩和することができ、また、電源供給が画像モニター装置あるいはパーソナルコンピュ−ターより供給されることで、専用の電源回路を必要とせず、より簡易的な構成とすることができる画像モニター用加湿装置が得られる。
【００２３】
また、電源の供給は、ユニバーサルシリアルバスより供給することを特徴としたものである。
【００２４】
この手段により規格化されたユニバーサルシリアルバスより電源供給されることで、メーカーや機種を選ぶことなく、どのパーソナルコンピュ−ターからも電源供給を可能にした画像モニター用加湿装置が得られる。
【００２５】
また、パーソナルコンピュ−ターから運転停止制御を行えるようにしたものである。
【００２６】
この手段によりパーソナルコンピュ−ターから画面モニター上に表示されている運転状況を見ながら容易な操作で運転停止制御が確認できるようにした画像モニター用加湿装置が得られる。
【００２７】
さらに、パーソナルコンピュ−ターから加湿量制御を行えるようにしたものである。
【００２８】
この手段によりパーソナルコンピュ−ターから画面モニター上に表示されている加湿量状況を見ながら容易な操作で加湿量制御が確認できるようにした画像モニター用加湿装置が得られる。
【００２９】
また、パーソナルコンピュ−ターから運転開始までの時間を制御することができるようにしたものである。
【００３０】
この手段によりパーソナルコンピュ−ターから画面モニター上に表示されている運転開始までの時間（今から何時間後）を容易な操作で入力し、画面モニター用加湿装置に運転開始までの時間データを送信できるようにした画像モニター用加湿装置が得られる。
【００３１】
さらに、パーソナルコンピュ−ターから停止までの時間を制御することができるようにしたものである。
【００３２】
この手段によりパーソナルコンピュ−ターから画面モニター上に表示されている停止開始までの時間（今から何時間後）を容易な操作で入力し、画面モニター用加湿装置に停止開始までの時間データを送信できるようにした画像モニター用加湿装置が得られる。
【００３３】
また、パーソナルコンピュ−ターから運転開始時刻の設定あるいは運転開始時刻に運転信号を自動送信できるようにしたものである。
【００３４】
この手段によりパーソナルコンピュ−ターから画面モニター上に表示されている運転開始時刻を容易な操作で設定し、運転開始時刻に達した時点でパーソナルコンピュ−ターから運転信号を自動送信できるようにした画像モニター用加湿装置が得られる。
【００３５】
さらに、パーソナルコンピュ−ターから停止時刻の設定あるいは停止時刻に停止信号を自動送信できるようにしたものである。
【００３６】
この手段によりパーソナルコンピュ−ターから画面モニター上に表示されている運転停止時刻を容易な操作で設定し、運転停止時刻に達した時点でパーソナルコンピュ−ターから停止信号を自動送信できるようにした画像モニター用加湿装置が得られる。
【００３７】
また、停止信号を受信した後、規定時間の残留運転時間を有することを特徴とするものである。
【００３８】
この手段により画像モニター使用者が画面モニター上で停止処理をした場合に停止信号を受信した後、残留運転を有することで画像モニター使用者の目をクールダウンができるようにした画像モニター用加湿装置が得られる。
【００３９】
さらに、パーソナルコンピュ−ターから運転開始・停止させるためにユニバーサルシリアルバスより電源を供給・遮断することで運転・停止を制御することができるようにしたものである。
【００４０】
この手段によりパーソナルコンピュ−ターから画面モニター上に表示されている運転・停止状態に連動してユニバーサルシリアルバスより電源を供給・遮断することで運転・停止を制御することができる画像モニター用加湿装置が得られる。
【００４１】
また、運転継続時間に応じて、揺らぎ風を送風することができるようにしたものである。
【００４２】
この手段により画像モニター使用者の運転継続時間に応じて、一定風量の送風と揺らぎ風の送風に分けて運転することで、運転継続時間に応じたモニター使用者の目にあたる送風の違和感を軽減することができるようにした画像モニター用加湿装置が得られる。
【００４３】
さらに、加湿手段に画像モニター装置使用者の存在を感知する人体感知手段を備え、人体の存在を継続感知した時間に応じて、揺らぎ風の送風や風速変更することができるようにしたものである。
【００４４】
この手段により人体の存在を感知し、継続的に人体感知した時間に応じて、揺らぎ風や風量変更し、画像モニター使用者の目の負担を軽減するとともに省エネ運転を実現することができるようにした画像モニター用加湿装置が得られる。
【００４５】
また、加湿装置の傾斜角度に応じて、送風量を制御することができるようにしたものである。
【００４６】
この手段により加湿装置の風向の傾斜角度が目にあたる方向と反するレベルに応じて、送風量を段階的に制御することで無駄な運転低減し省エネを実現できるようにした画像モニター用加湿装置が得られる。
【００４７】
また、加湿装置の傾斜角度が規定の角度を超えた場合、送風を停止することを特徴とするものである。
【００４８】
この手段により加湿装置の風向の傾斜角度が目にあたる方向と反するレベルを超えた場合、異常と判断して送風を停止することで無駄な運転及び危険防止を実現できるようにした画像モニター用加湿装置が得られる。
【発明の効果】
【００４９】
本発明によれば画像モニター装置本体に画像モニター装置使用者の目の方向に対して加湿した空気を送風するようにする加湿手段を備え、電源は画像モニター装置あるいはパーソナルコンピュ−ターより供給されるような構成とすることで、画像モニター使用者の目に範囲を集中して短時間に、少ない加湿水でより省エネルギーの加湿を行うことで効果的に目の乾燥を防ぎドライアイの症状を緩和することができ、また、電源供給が画像モニター装置あるいはパーソナルコンピュ−ターより供給されることで新たに電源コンセントを不要にした簡素化した機器の配線ができるという効果のある画像モニター用加湿装置を提供できる。
【００５０】
また、電源の供給は、ユニバーサルシリアルバスより供給するような構成とすることで、規格化されたユニバーサルシリアルバスより電源供給されることで、メーカーや機種を選ぶことなく、どのパーソナルコンピュ−ターからも電源供給を可能にすることができ、入力電圧違いによる誤接続による機器破損や入力電圧違いによる新たな回路の追加もなく、汎用性を向上することができるという効果のある画像モニター用加湿装置を提供できる。
【００５１】
さらに、パーソナルコンピュ−ターから運転停止制御を行えるような構成とすることで、パーソナルコンピュ−ターから画面モニター上に表示されている運転状況を見ながら容易な操作で運転停止制御が確認できるようにしたことで操作性を向上することができるという効果のある画像モニター用加湿装置を提供できる。
【００５２】
また、パーソナルコンピュ−ターから加湿量制御を行えるような構成とすることで、パーソナルコンピュ−ターから画面モニター上に表示されている加湿量状況を見ながら容易な操作で加湿量制御が確認できるようにした極め細かな加湿量制御を可能とすることができる画像モニター用加湿装置を提供できる。
【００５３】
さらに、パーソナルコンピュ−ターから運転開始までの時間を制御することができるような構成とすることで、パーソナルコンピュ−ターから画面モニター上に表示されている運転開始までの時間（今から何時間後）を容易な操作で入力し、画面モニター用加湿装置に運転開始までの時間データを送信できるようにしたことで運転開始までの時間データ処理能力を有する機能を備えることができるという効果のある画像モニター用加湿装置を提供できる。
【００５４】
また、パーソナルコンピュ−ターから停止までの時間を制御することができるような構成とすることで、パーソナルコンピュ−ターから画面モニター上に表示されている停止開始までの時間（今から何時間後）を容易な操作で入力し、画面モニター用加湿装置に停止開始までの時間データを送信できるようにしたことで停止開始までの時間データ処理能力を有する機能を備えることができるという効果のある画像モニター用加湿装置を提供できる。
【００５５】
さらに、パーソナルコンピュ−ターから運転開始時刻の設定あるいは運転開始時刻に運転信号を自動送信できるような構成とすることで、パーソナルコンピュ−ターから画面モニター上に表示されている運転開始時刻を容易な操作で設定し、運転開始時刻に達した時点でパーソナルコンピュ−ターから運転信号を自動送信できるようにしたことで運転信号の処理能力を有する機能を備えることができるという効果のある画像モニター用加湿装置を提供できる。
【００５６】
また、パーソナルコンピュ−ターから停止時刻の設定あるいは停止時刻に停止信号を自動送信できるような構成とすることで、パーソナルコンピュ−ターから画面モニター上に表示されている運転停止時刻を容易な操作で設定し、運転停止時刻に達した時点でパーソナルコンピュ−ターから停止信号を自動送信できるようにしたことで停止信号の処理能力を有する機能を備えることができるという効果のある画像モニター用加湿装置を提供できる。
【００５７】
さらに、停止信号を受信した後、規定時間の残留運転時間を有するような構成とすることで、画像モニター使用者が画面モニター上で停止処理をした場合に停止信号を受信した後、残留運転を有し、画像モニター使用者の目をクールダウンができるようにしたため、画面作業者の目の負担を少しでも軽減することができるという効果のある画像モニター用加湿装置を提供できる。
【００５８】
また、パーソナルコンピュ−ターから運転開始・停止させるためにユニバーサルシリアルバスより電源を供給・遮断することで運転・停止を制御することができるような構成とすることで、パーソナルコンピュ−ターから画面モニター上に表示されている運転・停止状態に連動してユニバーサルシリアルバスより電源を供給・遮断により運転・停止を制御し、装置に必要な電子部品を削減し、過剰な回路不要とすることでより安価に構成することができるという効果のある画像モニター用加湿装置を提供できる。
【００５９】
さらに、運転継続時間に応じて、揺らぎ風を送風することができるような構成とすることで、画像モニター使用者の運転継続時間に応じて、一定風量の送風と揺らぎ風の送風に分けて運転することで、運転継続時間に応じたモニター使用者の目にあたる送風の違和感を軽減することができるという効果のある画像モニター用加湿装置を提供できる。
【００６０】
また、加湿手段に画像モニター装置使用者の存在を感知する人体感知手段を備え、人体の存在を継続感知した時間に応じて、揺らぎ風の送風や風速変更することができるような構成とすることで、人体の存在を感知し、継続的に人体感知した時間に応じて、揺らぎ風や風量変更し、画像モニター使用者の目の負担を軽減するとともに省エネ運転を実現することができるという効果のある画像モニター用加湿装置を提供できる。
【００６１】
さらに、加湿装置の傾斜角度に応じて、送風量を制御することができるような構成とすることで、加湿装置の風向の傾斜角度が目にあたる方向と反するレベルに応じて、送風量を段階的に制御することで無駄な運転低減し省エネを実現できるという効果のある画像モニター用加湿装置を提供できる。
【００６２】
また、加湿装置の傾斜角度が規定の角度を超えた場合、送風を停止するような構成とすることで、加湿装置の風向の傾斜角度が目にあたる方向と反するレベルを超えた場合、異常と判断して送風を停止することで無駄な運転及び危険防止を実現できるという効果のある画像モニター用加湿装置を提供できる。
【発明を実施するための最良の形態】
【００６３】
本発明の請求項１記載の発明は、画像モニター装置本体に画像モニター装置使用者の目の方向に対して加湿した空気を送風するようにする加湿手段を備え、電源は画像モニター装置あるいはパーソナルコンピュ−ターより供給される構成としたものであり、画像モニター使用者の目に範囲を集中して短時間に、少ない加湿水でより省エネルギーの加湿を行うことで効果的に目の乾燥を防ぎドライアイの症状を緩和することができ、また、電源供給が画像モニター装置あるいはパーソナルコンピュ−ターより供給されることができるという作用を有する。
【００６４】
また、電源の供給は、ユニバーサルシリアルバスより供給する構成としたものであり、規格化されたユニバーサルシリアルバスより電源供給されることで、メーカーや機種を選ぶことなく、どのパーソナルコンピュ−ターからも電源供給を可能にすることができるという作用を有する。
【００６５】
さらに、パーソナルコンピュ−ターから運転停止制御を行えるような構成としたものであり、パーソナルコンピュ−ターから画面モニター上に表示されている運転状況を見ながら容易な操作で運転停止制御が確認することができるという作用を有する。
【００６６】
また、パーソナルコンピュ−ターから加湿量制御を行えるような構成としたものであり、パーソナルコンピュ−ターから画面モニター上に表示されている加湿量状況を見ながら容易な操作で加湿量制御が確認することができるという作用を有する。
【００６７】
さらに、パーソナルコンピュ−ターから運転開始までの時間を制御することができるような構成としたものであり、パーソナルコンピュ−ターから画面モニター上に表示されている運転開始までの時間（今から何時間後）を容易な操作で入力し、画面モニター用加湿装置に運転開始までの時間データを送信できるようにすることができるという作用を有する。
【００６８】
また、パーソナルコンピュ−ターから停止までの時間を制御することができるような構成としたものであり、パーソナルコンピュ−ターから画面モニター上に表示されている停止開始までの時間（今から何時間後）を容易な操作で入力し、画面モニター用加湿装置に停止開始までの時間データを送信できるようにすることができるという作用を有する。
【００６９】
さらに、パーソナルコンピュ−ターから運転開始時刻の設定あるいは運転開始時刻に運転信号を自動送信できるような構成としたものであり、パーソナルコンピュ−ターから画面モニター上に表示されている運転開始時刻を容易な操作で設定し、運転開始時刻に達した時点でパーソナルコンピュ−ターから運転信号を自動送信できるようにすることができるという作用を有する。
【００７０】
また、パーソナルコンピュ−ターから停止時刻の設定あるいは停止時刻に停止信号を自動送信できるような構成としたものであり、パーソナルコンピュ−ターから画面モニター上に表示されている運転停止時刻を容易な操作で設定し、運転停止時刻に達した時点でパーソナルコンピュ−ターから停止信号を自動送信できるようにすることができるという作用を有する。
【００７１】
さらに、停止信号を受信した後、規定時間の残留運転時間を有する構成としたものであり、画像モニター使用者が画面モニター上で停止処理をした場合に停止信号を受信した後、残留運転を有することで画像モニター使用者の目をクールダウンができるようにすることができるという作用を有する。
【００７２】
また、パーソナルコンピュ−ターから運転開始・停止させるためにユニバーサルシリアルバスより電源を供給・遮断することで運転・停止を制御することができるような構成としたものであり、パーソナルコンピュ−ターから画面モニター上に表示されている運転・停止状態に連動してユニバーサルシリアルバスより電源を供給・遮断することで運転・停止を制御することができるという作用を有する。
【００７３】
さらに、運転継続時間に応じて、揺らぎ風を送風することができるような構成としたものであり、画像モニター使用者の運転継続時間に応じて、一定風量の送風と揺らぎ風の送風に分けて運転することで、運転継続時間に応じたモニター使用者の目にあたる送風の違和感を軽減することができるようにすることができるという作用を有する。
【００７４】
また、加湿手段に画像モニター装置使用者の存在を感知する人体感知手段を備え、人体の存在を継続感知した時間に応じて、揺らぎ風の送風や風速変更することができるような構成としたものであり、人体の存在を感知し、継続的に人体感知した時間に応じて、揺らぎ風や風量変更し、画像モニター使用者の目の負担を軽減するとともに省エネ運転を実現することができるようにすることができるという作用を有する。
【００７５】
さらに、加湿装置の傾斜角度に応じて、送風量を制御することができるような構成としたものであり、加湿装置の風向の傾斜角度が目にあたる方向と反するレベルに応じて、送風量を段階的に制御することで無駄な運転低減し省エネを実現できるようにすることができるという作用を有する。
【００７６】
また、加湿装置の傾斜角度が規定の角度を超えた場合、送風を停止する構成としたものであり、加湿装置の風向の傾斜角度が目にあたる方向と反するレベルを超えた場合、異常と判断して送風を停止することで無駄な運転及び危険防止を実現できるようにすることができるという作用を有する。
【００７７】
以下、本発明の実施の形態について図面を参照しながら説明する。
【００７８】
（実施の形態１）
図１は本発明の実施の形態１の画像モニター用加湿装置を示す側面視図であり、図２は同画像モニター用加湿装置の正面図であり、図３は同画像モニター用加湿装置の側視断面図であり、図４は同画像モニター用加湿装置の加湿槽部分の側視断面図であり、図５は同画像モニター用加湿装置の構成を示したブロック図である。図１から図５に示すように、画像を表示する画像モニター装置本体１の外郭上部の中央に加湿手段２は配設され、この加湿手段２は中空形状の加湿機外郭３の内部に加湿水を溜める加湿槽４と、この加湿槽４に溜まった加湿水に浸る位置に配置され加湿水を気化させるための超音波振動素子５と、この超音波振動素子５により気化された加湿水により加湿された空気を送風するための送風装置６と、前記超音波振動素子５と送風装置６の動作を制御する制御手段７を備える。
【００７９】
また、加湿機外郭３の一端には送風装置６の送風空気を加湿機外郭３の内部に導入するための吸気開口８と、この吸気開口８と対向する加湿機外郭３のもう一端には加湿された空気を加湿機外郭３の外部に放出するための送風開口９を設けている。加湿槽４への加湿水の給水は加湿機外郭３の外部から取り外し自在に配設され、内部に加湿水を蓄える給水タンク１０により行う。
【００８０】
さらに、加湿槽４の内部には加湿水の有無を検出するための加湿水検出手段１１を配置している。加湿水検出手段１１は加湿水に対し浮力を持つフロート１２と、このフロート１２を加湿槽４の内部の規定位置に可動状態で軸着するフロート軸１３と、フロート１２の内部に埋め込まれた磁石１４と、この磁石１４の磁力により接点が閉ざされる加湿槽４の壁面に固設されたリードスイッチ１５から構成され、このリードスイッチ１５の接点の閉ざされた状態を在水状態として電気信号の形態で制御手段７に対して出力し加湿水の有無を制御手段７に伝達するものである。加湿機外郭３の画像モニター装置本体１の外郭上部と接する位置には画像モニター装置本体１に加湿機外郭３を取り外し自在に掛着するための固定凸部１６を固設している。
【００８１】
ここで、加湿機外郭３の一端に設けられた送風開口９は画像モニター装置本体１に加湿手段２を取り付けた状態において画像モニター装置本体１の画像表示面に対してほぼ垂直な方向に風を吹き出すように開設したものであり、画像モニターを見る画像モニター使用者と画像モニター装置本体１の一般的な間隔において画像モニター使用者の目の位置を中心としてほぼ顔面の大きさの範囲に送風が行えるように設定するものである。
【００８２】
また、給水タンク１０は一端に設けられた開口部が加湿槽４中の加湿水の水面に浸かるように挿着し配置される構成であり、この加湿水の水面が加湿動作の進行に伴い低下し、給水タンク１０は開口部と水面の間に隙間が生じると給水タンクの内部に空気が侵入し、この進入により開口部と水面間の隙間が解消されるまでの間、給水タンクから加湿槽４に対し加湿水が供給される、一般的な自動給水方式で構成したものである。
【００８３】
さらに、超音波振動素子５は高周数電圧を印加すると超音波振動を発生するＰＺＴなどのいわゆる圧電セラミック振動子を利用するものであり、微細な超音波振動により加湿水を空気中に微細化分散させ加湿するものであり、この加湿水の微細化分散による気化に適した共振周波数約１．６ｋＨｚの素子を使用したものである。
【００８４】
また、送風装置６は直流あるいは交流の電圧を印加すると回転動力を発生する一般的な電動機モーターで駆動されるものである。
【００８５】
制御手段７は加湿装置全体の動作を制御するマイクロコンピューター１７と、このマイクロコンピューター１７で制御され超音波振動素子５を駆動する高周波電圧発生回路１８と、同じく送風装置６を駆動する送風装置駆動回路１９と、これらマイクロコンピューター１７と高周波電圧発生回路１８と送風装置駆動回路１９に電力を供給する電源回路２０から構成される。
【００８６】
さらに、マイクロコンピューター１７は中央演算装置（ＣＰＵ）、入出力装置、アナログ・デジタル変換入力装置（Ａ／Ｄ）、リードオンリーメモリー（ＲＯＭ）、リード・ライトメモリー（ＲＡＭ）を内蔵したいわゆる１チップマイクロコンピューターを使用するものであり、加湿水検出手段１１から出力されるリードスイッチ１５の接点の閉ざされた状態の電気信号を入力として受けたときには加湿槽４内部の加湿水の存在を判断して加湿水の存在を判断した状態においては高周波電圧発生回路１８と送風装置駆動回路１９に対し動作電圧信号を出力して超音波振動素子５と送風装置６を駆動させて加湿送風を実施するようにプログラムしたものである。
【００８７】
また、高周波電圧発生回路１８は電源回路２０の電力を変換して超音波振動素子５を構成する圧電セラミック振動子の共振周波数の高周波電圧を発生する一般的な自励発振回路で構成したものである。
【００８８】
さらに、送風装置駆動回路１９は電源回路２０の電力を送風装置６に対して入り切り可能とするリレーなどの一般的なスイッチ素子で構成したものである。
【００８９】
次にこのように構成した加湿手段２の動作について説明する。
【００９０】
画像モニター装置本体１の外郭上部に加湿手段２が加湿機外郭３に固設された固定凸部１６で掛着して設置された状態において加湿機外郭３の内部の加湿槽４に対し加湿水を蓄えた給水タンク１０が挿着されると給水タンク１０より加湿水が加湿槽４に供給される。
【００９１】
加湿槽４に加湿水が供給されると加湿槽４の内部の水位上昇に伴い加湿水検出手段１１を構成するフロート１２が軸着されたフロート軸１３を中心に回動して浮上する。このフロート１２の浮上に伴い加湿槽４の壁面に固設されたリードスイッチ１５にフロート１２に内蔵された磁石１４が接近すると磁石１４の磁力でリードスイッチ１５が閉ざされ制御手段７を構成するマイクロコンピューター１７に対して加湿水検出手段１１から加湿槽４内部の加湿水の在水状態が電気信号の形態で出力され、この出力を受けてマイクロコンピューター１７は加湿槽４の加湿水の在水状態を判断する。
【００９２】
マイクロコンピューター１７は加湿槽４の加湿水の在水状態を判断すると高周波電圧発生回路１８および送風装置駆動回路１９を介して超音波振動素子５と送風装置６に電源回路２０からの電力を供給して起動させる。超音波振動素子５が起動されると超音波振動素子５は超音波振動を発生しこの超音波振動により加湿槽４の中の加湿水は空気中に微細化して分散され加湿機外郭３の内部空間の空気を加湿し、また送風装置６が起動されると加湿機外郭３の一端に設けられた吸気開口８より加湿機外郭３の内部に外気が導入され加湿機外郭３の内部の加湿された空気を加湿機外郭３の吸気開口８に対向する一端に開設された送風開口９の方向に押し出すことなり、よって送風開口９からの加湿した空気が吹き出すこととなる。
【００９３】
また、送風開口９は画像モニター装置本体１に加湿手段２が取り付けられた状態で画像モニター装置本体１を利用している画像モニター使用者の目の方向に向けて開設しているために送風開口９から吹き出された加湿された空気は画像モニター使用者の目の方向に向かい送風されることとなる。
【００９４】
なお、ここでは画像モニター装置本体１の外郭上部に加湿手段２が加湿機外郭３に固設された固定凸部１６で掛着して設置する構成を示しているが画像モニター装置本体１に直接的に加湿手段２を内蔵して構成してもその作用効果に差異が無いことは言うまでもない。
【００９５】
なお、ここでは画像モニター装置本体１の外郭上部に加湿手段２を掛着するための固定凸部１６は加湿機外郭３に固設した構成を示しているが、加湿機外郭３に対して可動自在に固定する構成とすることで、画像モニター装置本体１への掛着時の位置調整や各種サイズの異なる画像モニター装置本体１に加湿手段２を取り付けて使用できるなど更に活用性を向上させることもできる。
【００９６】
また、画像モニター装置本体１に取り付けた加湿手段２は、動作するために必要な電源供給を得るために、パーソナルコンピュ−ター２１と電源線２２とキーボード２３を備え、画像モニター装置本体１あるいはパーソナルコンピュ−ター２１より電源線２２を通して電源供給されるように構成される。
【００９７】
上記構成において、画像モニター装置本体１あるいはパーソナルコンピュ−ター２１より電源供給されることで、新たに加湿手段２専用の電源コンセントを準備する必要がない。
【００９８】
さらに、パーソナルコンピュ−ター２１には電源線以外にも多くの配線を接続する必要があるため、少しでも短い配線が求められている。画像モニター装置本体１あるいはパーソナルコンピュ−ター２１より電源供給されることで、新たな電源コンセントを必要とせず、短い配線が可能な電源環境を実現することができる。
【００９９】
（実施の形態２）
図６は本発明の実施の形態２の画像モニター用加湿装置のＵＳＢケーブル接続の正面図である。図６に示すように、画像を表示する画像モニター装置本体１とその外郭上部と接する位置に取り外し自在に掛着するための固定凸部１６を有する加湿手段２とユニバーサルシリアルバス（ＵＳＢ）接続部２５を有するパーソナルコンピュ−ター２１とキーボード２３を備え、加湿手段２の電源線をユニバーサルシリアルバス（ＵＳＢ）ケーブル２４にて電源供給されるように構成される。
【０１００】
上記構成において、キーボード２３をユニバーサルシリアルバス（ＵＳＢ）ケーブル２４を使用することで、電源供給と通信手段を確保する規格化された電源であることから、パーソナルコンピュ−ター２１のメーカーを選ぶ必要もなく、どのメーカーの機器でも電源供給されることが可能となり汎用性が増すために市場拡大が見込まれる。
【０１０１】
また、日本市場の一般的な家庭の電源事情としては、単相１００Ｖであるが、加湿手段２をユニバーサルシリアルバス（ＵＳＢ）ケーブル２４と同じ電源電圧にするためには、変圧器を用いた回路構成が必要となる。パーソナルコンピュ−ター２１内の電源回路を使用したユニバーサルシリアルバス（ＵＳＢ）ケーブル２４を使用することで、新たな回路を不要とし、短い配線が可能な電源環境を実現することができる。
【０１０２】
（実施の形態３）
図７は本発明の実施の形態３の画像モニター用加湿装置の画像モニター表示の正面図である。図７に示すように、画像を表示する画像モニター装置本体１と画像モニター表示２６とその外郭上部と接する位置に取り外し自在に掛着するための固定凸部１６を有する加湿手段２とユニバーサルシリアルバス（ＵＳＢ）接続部２５を有するパーソナルコンピュ−ター２１とキーボード２３を備え、加湿手段２の電源をユニバーサルシリアルバス（ＵＳＢ）ケーブル２４にて電源供給されるように構成される。
【０１０３】
上記構成において、キーボード２３から入力されたデータがパーソナルコンピュ−ター２１を介して画像を表示する画像モニター装置本体１の画像モニター表示２６に一例としてあげた表示の運転表示の「運転」または、「停止」を選択された時点でユニバーサルシリアルバス（ＵＳＢ）接続部２５からユニバーサルシリアルバス（ＵＳＢ）ケーブル２４を経由して、運転信号が発信され、加湿手段２に運転信号が伝わり、加湿手段２は運転することができる。
【０１０４】
また、キーボード２３から入力されたデータが画像モニター表示２６にあげた表示の停止表示を選択されたのであれば、加湿手段２を停止させることができる。
【０１０５】
さらに、キーボード２３ではなく、一般的なパーソナルコンピューター２１の入力手段であるマウスを用いたときも本記載と同じ意味をもつ。
【０１０６】
また、画像モニター表示２６を見ながらキーボード２３を操作可能とすることで、加湿手段２の現在の操作状況が視覚判断で確認することができるようになった。
【０１０７】
さらに、ユニバーサルシリアルバス（ＵＳＢ）ケーブル２４からの操作でパーソナルコンピューター２１との連動制御が容易に実現可能となり、機器配線も簡潔となった。
【０１０８】
また、キーボード２３から入力されたデータがパーソナルコンピュ−ター２１を介して画像を表示する画像モニター装置本体１の画像モニター表示２６に一例としてあげた表示の加湿量のレベル表示を選択された時点でユニバーサルシリアルバス（ＵＳＢ）接続部２５からユニバーサルシリアルバス（ＵＳＢ）ケーブル２４を経由して、加湿量のレベル信号が発信され、加湿手段２に運転信号が伝わり、加湿手段２は加湿量の制御をすることができる。
【０１０９】
さらに、画像モニター表示２６を見ながらキーボード２３を操作可能とすることで、加湿手段２の現在の操作状況が視覚判断で確認することができるようになった。
【０１１０】
また、ユニバーサルシリアルバス（ＵＳＢ）ケーブル２４からの操作でパーソナルコンピューター２１との連動制御が容易に実現可能となり、機器配線も簡潔となった。
【０１１１】
（実施の形態４）
図８は本実施の形態４の画像モニター用加湿装置とパーソナルコンピュ−ターの構成を示したブロック図である。図８に示すように、加湿機外郭３の制御手段７は加湿装置全体の動作を制御するマイクロコンピューター１７と、このマイクロコンピューター１７で制御され超音波振動素子５を駆動する高周波電圧発生回路１８と、同じく送風装置６を駆動する送風装置駆動回路１９と、これらマイクロコンピューター１７と高周波電圧発生回路１８と送風装置駆動回路１９に電力を供給する電源回路２０とユニバーサルシリアルバス（ＵＳＢ）ケーブル２４からマイクロコンピューター１７へ動作信号を処理する通信回路２７から構成される。
【０１１２】
また、パーソナルコンピュ−ター２１の全体を制御している制御手段２８は、マイクロコンピューター３１と、マイクロコンピューター３１からユニバーサルシリアルバス（ＵＳＢ）接続部２５へ信号送信するために、制御信号を処理する通信回路３０と、制御手段２８を動作させるための電源回路２９とキーボード２３から構成される。
【０１１３】
さらに、マイクロコンピューター３１は中央演算装置（ＣＰＵ）、入出力装置、アナログ・デジタル変換入力装置（Ａ／Ｄ）、リードオンリーメモリー（ＲＯＭ）、リード・ライトメモリー（ＲＡＭ）を内蔵したいわゆる１チップマイクロコンピューターを使用するものである。
【０１１４】
上記構成において、加湿手段２の制御手段７のマイクロコンピューター１７は、運転開始までの時間データ待ちの状態で運転を待機して停止している。
【０１１５】
ここで、キーボード２３から入力された運転開始までの時間データが通信回路３０を介してマイクロコンピューター３１のリード・ライトメモリー（ＲＡＭ）に時間データが書き込まれる。時間データの一例として、運転開始までの時間が５０分後であれば、「５０」分の時間データが書き込まれる。
【０１１６】
また、リード・ライトメモリー（ＲＡＭ）に時間データが書き込まれるとすぐに通信回路３０とユニバーサルシリアルバス（ＵＳＢ）接続部２５とユニバーサルシリアルバス（ＵＳＢ）ケーブル２４を通過した時間データが制御手段７の通信回路２７に到達し、マイクロコンピューター１７のリード・ライトメモリー（ＲＡＭ）に時間データが書き込まれる。
【０１１７】
さらに、マイクロコンピューター１７の中央演算装置（ＣＰＵ）のタイマー機能を使用し、一例の５０分をカウントし、５０分後にタイマーカウントを終了した時点で、運転することができる。
【０１１８】
また、キーボード２３からの入力とユニバーサルシリアルバス（ＵＳＢ）ケーブル２４の制御より加湿器の連動運転制御が可能となった。
【０１１９】
さらに、運転中は加湿器の制御手段７のマイクロコンピューター１７は、停止までの時間データ待ちの状態で停止を待機して運転している。
【０１２０】
また、キーボード２３から入力された停止開始までの時間データが通信回路３０を介してマイクロコンピューター３１のリード・ライトメモリー（ＲＡＭ）に時間データが書き込まれる。時間データの一例として、運転開始までの時間が５０分後であれば、「５０」分の時間データが書き込まれる。
【０１２１】
さらに、リード・ライトメモリー（ＲＡＭ）に時間データが書き込まれるとすぐに通信回路３０とユニバーサルシリアルバス（ＵＳＢ）接続部２５とユニバーサルシリアルバス（ＵＳＢ）ケーブル２４を通過した時間データが制御手段７の通信回路２７に到達し、マイクロコンピューター１７のリード・ライトメモリー（ＲＡＭ）に時間データが書き込まれる。
【０１２２】
また、マイクロコンピューター１７の中央演算装置（ＣＰＵ）のタイマー機能を使用し、一例の５０分をカウントし、５０分後にタイマーカウントを終了した時点で、停止することができる。
【０１２３】
さらに、キーボード２３からの入力とユニバーサルシリアルバス（ＵＳＢ）ケーブル２４の制御より加湿器の連動停止制御が可能となった。
【０１２４】
（実施の形態５）
図９は本発明の実施の形態５の画像モニター用加湿装置とパーソナルコンピュ−ターの構成を示したブロック図である。図９に示すように、加湿機外郭３の制御手段７は加湿装置全体の動作を制御するマイクロコンピューター１７と、このマイクロコンピューター１７で制御され超音波振動素子５を駆動する高周波電圧発生回路１８と、同じく送風装置６を駆動する送風装置駆動回路１９と、これらマイクロコンピューター１７と高周波電圧発生回路１８と送風装置駆動回路１９に電力を供給する電源回路２０とユニバーサルシリアルバス（ＵＳＢ）ケーブル２４からマイクロコンピューター１７へ動作信号を処理する駆動部品３３から構成される。
【０１２５】
また、パーソナルコンピュ−ター２１の全体を制御している制御手段２８は、マイクロコンピューター３１と、時間設定タイマー３２とマイクロコンピューター３１からユニバーサルシリアルバス（ＵＳＢ）接続部２５へ信号送信するために、制御信号を処理する通信回路３０と、制御手段２８を動作させるための電源回路２９とキーボード２３から構成される。
【０１２６】
上記構成において、加湿器の制御手段７のマイクロコンピューター１７は、駆動部品３３のスイッチ手段としてのフォトカプラやトランジスタが駆動する信号を受信するまで、運転を待機して停止している。
【０１２７】
さらに、制御手段２８が有する時間設定タイマー３２は、現在時刻設定することで現在時刻表示し、未来の時間設定が可能とし、予約運転タイマー制御が可能である。
【０１２８】
また、キーボード２３から入力設定された現在時刻に対し、未来の運転開始したい予約時間を設定する。入力された時間データは、通信回路３０を経由して、マイクロコンピューター３１のリード・ライトメモリー（ＲＡＭ）に書き込まれる。
【０１２９】
さらに、同時に、マイクロコンピューター３１からの指示で時間設定タイマー３２が動作し現在時刻と予約時間の差を算出して、タイマーカウントを開始する。タイマーカウントが終了した時点で、マイクロコンピューター３１へ終了の信号を自動的に送信する。
【０１３０】
また、受信したマイクロコンピューター３１は、加湿手段２を動作させるための運転信号を通信回路３０よりユニバーサルシリアルバス（ＵＳＢ）ケーブル２４を介して送信する。そして、駆動部品３３を有した制御手段７は、運転信号を受信することで、駆動部品３３が動作し、マイクロコンピューター１７を動作させ、予約時間に加湿運転を実現することができる。
【０１３１】
さらに、制御手段２８に時間設定タイマー３２を備えることで、制御手段７は通信回路を備える必要がなく、駆動部品３３のみの構成でよくなることで、制御手段７の回路構成を小型化するメリットがある。
【０１３２】
また、キーボード２３から入力設定された現在時刻に対し、未来の停止開始したい予約時間を設定する。入力された時間データは、通信回路３０を経由して、マイクロコンピューター３１のリード・ライトメモリー（ＲＡＭ）に書き込まれる。
【０１３３】
さらに、同時に、マイクロコンピューター３１からの指示で時間設定タイマー３２が動作し現在時刻と予約時間の差を算出して、タイマーカウントを開始する。タイマーカウントが終了した時点で、マイクロコンピューター３１へ終了の信号を自動的に送信する。
【０１３４】
また、受信したマイクロコンピューター３１は、加湿手段２を動作させるための停止信号を通信回路３０よりユニバーサルシリアルバス（ＵＳＢ）ケーブル２４を介して送信する。そして、駆動部品３３を有した制御手段７は、停止信号を受信することで、駆動部品３３が動作し、マイクロコンピューター１７を動作させ、予約時間に加湿停止を実現することができる。
【０１３５】
さらに、加湿手段２は画像モニター装置本体１に取り付けることで、小型軽量化が望ましいため、多機能のマイクロコンピューター３１側の機能を有する方が効率的である。
【０１３６】
また、時間設定タイマー３２を更に活用し、更なるドライアイを改善する方法として、加湿手段２が運転信号を受信した際に、マイクロコンピューター３１からの指示で時間設定タイマー３２が動作し、運転開始時間の積算時間のカウントを開始させる。停止信号を受信した際に積算時間のカウントを停止し運転開始から停止までの積算時間を瞬時に算出する。算出結果から、規定時間として、積算時間の１割から２割の時間を残留運転時間とし、停止信号を受信してもすぐに加湿手段２を停止するのではなく、積算時間の１割から２割の残留運転をしてから加湿手段２を停止させことにする。残留運転をする目的は、画像モニター使用者がパーソナルコンピュ−ター２１の作業を中止するために停止信号を送信した際、パーソナルコンピュ−ター２１がシャットダウンするまでに数分かかり、それまでは画像モニター装置本体１の前で画像モニターを見ていることが考えられるため、少しでも目の負担を少なくするために継続運転することで、目のクールダウンを目的としている。
【０１３７】
さらに、規定時間について、運転時間の積算時間で判断する理由は、一定時間の残留運転では長時間作業された画像モニター使用者と短時間作業された画像モニター使用者では疲労度が違うため、運転時間の積算時間で判断している。
【０１３８】
また、規定時間として、積算時間の１割から２割に設定した理由は、画像モニター作業者が停止させる場合は、基本的には作業を停止するためであり、長時間の設定時間では画像モニター装置本体１から離れる場合となり、電力の無駄が生じる可能性がある。１時間の作業で画像モニターを見るのであれば、１０分程度は休憩で目を休める必要があるため、１割から２割が妥当であるため設定した。
【０１３９】
（実施の形態６）
図１０は本発明の実施の形態６の画像モニター用加湿装置とパーソナルコンピュ−ターの構成を示したブロック図である。図１０に示すように、加湿機外郭３の制御手段７は、超音波振動素子５を駆動する高周波電圧発生回路１８と、同じく送風装置６を駆動する送風装置駆動回路１９と電力を供給する電源回路２０から構成される。
【０１４０】
また、パーソナルコンピュ−ター２１の全体を制御している制御手段２８は、マイクロコンピューター３１と時間設定タイマー３２とマイクロコンピューター３１からユニバーサルシリアルバス（ＵＳＢ）接続部２５へ信号送信するために、制御信号を処理する通信回路３０と、制御手段２８を動作させるための電源回路２９とキーボード２３から構成される。
【０１４１】
上記構成において、加湿器の制御手段７は、電源の供給有無で動作する回路構成となっている。ここで、制御手段２８が有する時間設定タイマー３２は、現在時刻設定することで現在時刻表示し、未来の時間設定が可能とし、時間予約運転タイマー制御が可能である。
【０１４２】
また、キーボード２３から入力設定された現在時刻に対し、未来の運転開始したい予約時間を設定する。入力された時間データは、通信回路３０を経由して、マイクロコンピューター３１のリード・ライトメモリー（ＲＡＭ）に書き込まれる。同時に、マイクロコンピューター３１からの指示で時間設定タイマー３２が動作し、現在時刻と予約時間の差を算出して、タイマーカウントを開始する。タイマーカウントが終了した時点で、マイクロコンピューター３１へ終了の信号を自動的に送信する。
【０１４３】
さらに、受信したマイクロコンピューター３１は、加湿手段２を動作させるためにユニバーサルシリアルバス（ＵＳＢ）接続部２５を有する通信回路２７に電源供給される。そして、通信回路２７に電源が供給されることで、ユニバーサルシリアルバス（ＵＳＢ）ケーブル２４にも電源供給され、制御手段７の電源回路２０に電源供給され、連動して超音波振動素子５を駆動する高周波電圧発生回路１８と、同じく送風装置６を駆動する送風装置駆動回路１９にも電源供給されて加湿手段２は、運転開始することができる。
【０１４４】
また、キーボード２３から入力設定された現在時刻に対し、未来の停止開始したい予約時間を設定する。入力された時間データは、通信回路３０を経由して、マイクロコンピューター３１のリード・ライトメモリー（ＲＡＭ）に書き込まれる。
【０１４５】
さらに、同時に、マイクロコンピューター３１からの指示で時間設定タイマー３２が動作し現在時刻と予約時間の差を算出して、タイマーカウントを開始する。タイマーカウントが終了した時点で、マイクロコンピューター３１へ終了の信号を自動的に送信する。
【０１４６】
また、受信したマイクロコンピューター３１は、加湿手段２を動作させるためにユニバーサルシリアルバス（ＵＳＢ）接続部２５を有する通信回路３０の電源を遮断する。
【０１４７】
通信回路３０の電源が遮断されることで、ユニバーサルシリアルバス（ＵＳＢ）ケーブル２４の電源も遮断され、制御手段７の電源回路２０も電源が遮断され、連動して超音波振動素子５を駆動する高周波電圧発生回路１８と、同じく送風装置６を駆動する送風装置駆動回路１９にも電源が遮断されて加湿手段２は、停止することができる。
【０１４８】
なお、制御手段７には、マイクロコンピューター１７を搭載しない回路構成とすることで、安価で小型化と軽量化を実現した普及型の加湿手段２を実現できる。
【０１４９】
（実施の形態７）
図１１は本発明の実施の形態７の画像モニター用加湿装置の加湿送風風速変更時の風速設定と揺らぎ運転を示す図であり、図１１（ａ）は同風速と送風持続時間との関係を示すグラフであり、図１１（ｂ）は１／ｆ揺らぎ運転、あるいは風量一定運転の運転制御、運転方法と同運転時間の関係を示すグラフである。図１２は同画像モニター用加湿装置の加湿送風風速変更時の風速設定と揺らぎ運転を示すグラフである。図１１および図１２に示すように、送風装置６の駆動動力源を直流電動機３４とし、さらに制御手段７を構成する送風装置駆動回路１９をマイクロコンピューター１７の制御により出力電圧を変更可能とした可変直流電源３５とすることで加湿送風時にマイクロコンピューター１７で可変直流電源３５の出力電圧を変化させて直流電動機３４の回転速度を変化させて加湿送風の風速を揺らがせることで画像モニター使用者が常に一定の送風を受けることで感じる違和感を緩和させることもできる。
【０１５０】
また、可変直流電源３５は一般的な電圧制御型スイッチング電源で構成するものであり、またマイクロコンピューター１７の可変直流電源３５の制御出力をＤ／Ａ変換電力出力型の設定とすることでマイクロコンピューター１７に組み込むソフトウェアーで直接的に可変直流電源３５の出力電圧を変更できるように構成するものである。
【０１５１】
さらに、マイクロコンピューター１７で制御し揺らがせる送風装置６の送風風速は図１２に示すように、風速強度に対して送風持続時間が反比例する一般的に言う１／ｆ揺らぎの理論に基づいた送風を行うようにプログラミングするものであり、人間が心地よさを感じる０ｍから１ｍ／秒の範囲で加湿送風が揺らぐように設定したものである。
【０１５２】
また、加湿送風の運転継続時間が長ければ、十分な加湿量を確保することが可能となるが、画像モニター使用者にとっては、過剰な加湿量により違和感を感じ始めると同時に、無駄な電力を消費することになるために、運転継続時間により、揺らぎ風を送風することで、より快適な環境を提供する。運転継続時間についてのパターンは運転開始の３０分までは通常の風量一定であり、３０分以降は揺らぎ風をする。そして、１時間を１サイクルとして、３サイクル継続する。
【０１５３】
さらに、３時間以降の運転継続が続いた場合は、停止するまでは揺らぎ風を送風することとする。運転開始直後は、画像モニター装置本体１の周辺の湿度が低く、急速に湿度を上げる必要があるため、風量一定でモニター使用者の目の周囲を加湿する必要がある。
【０１５４】
また、３０分後にはある程度、モニター使用者の周辺の加湿量を確保できるため、モニター使用者が不快を感じ始めるために、心地よい揺らぎ風に変更することとする。
【０１５５】
さらに、サイクルを３サイクル継続する理由は、画像モニター使用者の存在の有無に関わらず、運転を継続するため、画像モニター使用者が不在の場合、目の周辺方向に送風される空気は人体の障害物がないために部屋全体を加湿することになるため、広範囲の加湿を行うことになる。そのため、湿度環境を安定させるために３サイクルの風量一定と揺らぎ風を実施する制御にすることで、湿度環境を安定させることとする。
【０１５６】
また、３サイクル後には、湿度環境が安定するため、揺らぎ風を継続することで、心地さを継続し、少ない風量でも湿度環境の確保が実現され、更に消費電力の低減も図ることができる。
【０１５７】
（実施の形態８）
図１３は本発明の実施の形態８の画像モニター用加湿装置の人体感知手段の配置を示す図であり、図１３（ａ）は同画像モニター用加湿装置の人体感知手段の配置を示した正面図であり、図１３（ｂ）は同画像モニター用加湿装置の人体感知手段の概略構成を示した構成図である。図１４は、同画像モニター用加湿装置の人体感知手段を示す図である。図１４（ａ）は同画像モニター用加湿装置の人体感知手段の構成を示したブロック図であり、図１４（ｂ）同人体感知時間に対する揺らぎ運転を示すグラフである。
【０１５８】
図１３および図１４に示すように、加湿機外郭３の送風開口９の開口面に送風方向の画像モニター使用者の存在を感知する人体感知手段３６を備え、この人体感知手段３６が人体の存在を感知したときに加湿手段２は加湿送風を行うように構成することで画像モニター使用者が実際に画像モニターを使用しているときのみに加湿手段２は加湿送風を行うようにすることができる。
【０１５９】
また、人体感知手段３６は赤外線発光ダイオード素子３７と赤外線受光フォトトランジスター３８を組み合わせた投光反射受光型の人体感知方式で構成したものであり、赤外線発光ダイオード素子３７の発した赤外線光が感知対象となる画像モニター使用者で反射され、この反射された赤外線光を赤外線受光フォトトランジスター３８で受光して、この赤外線光の受光により赤外線受光フォトトランジスター３８は制御手段７を構成するマイクロコンピューター１７に電圧信号を出力することでマイクロコンピューター１７はこの赤外線受光フォトトランジスター３８からの電圧信号を受けたときには人体の存在判定を確定し加湿送風を行うようにプログラミングしたものである。
【０１６０】
さらに、赤外線発光ダイオード素子３７の発光強度と赤外線受光フォトトランジスター３８との配置間隔および角度は実際の画像モニターを使用する画像モニター使用者と画像モニター間の距離に基づき実験的に決定するものであるが、画像モニターの画像面に対して６０ｃｍ以内程度の間隔に存在する人体を感知できるように設定することで誤感知動作を防止した画像モニター使用者の感知に基づいた加湿送風の自動運転を行うことができる。
【０１６１】
また、継続感知した時間に応じて、揺らぎ風を送風する。感知している時間が長ければ、画像モニター使用者と加湿手段２の距離が６０ｃｍ以内程度の狭い空間のために、短時間で十分な加湿量を確保することができる。よって、目の周辺は潤いを取り戻し、心地良い環境となり、消費電力の少ない揺らぎ風に制御を変更することで、更に消費電力の低減を図ることができる。
【０１６２】
さらに、画像モニター使用者と加湿手段２の距離が６０ｃｍ以内程度の狭い空間であれば、３０分継続して風量一定で運転すれば、十分な加湿量が確保できるため、３０分と規定し、その後、速やかに揺らぎ風に変更することで、心地さを継続し、少ない風量でも湿度環境の確保が実現され、更に、消費電力の低減も図ることができる。
【０１６３】
（実施の形態９）
図１５は本発明の実施の形態９の画像モニター用加湿装置を示図図であり、図１５（ａ）は同画像モニター用加湿装置の傾斜角度を示す側面視図であり、図１５（ｂ）同画像モニター用加湿装置の傾斜角度検出手段の配置を示した正面図である。
【０１６４】
図１５（ａ）および（ｂ）に示すように、ノート型パーソナルコンピュ−ター３９に固定した加湿手段２の送風開口９の上部に傾斜角センサー４０を備え、常時、傾斜角センサー４０が画像モニターの傾斜角を認識し、通常傾斜角度４１と傾斜角制御開始レベル４２と傾斜角制御終了レベル４３で傾斜角を認識する構成とする。
【０１６５】
上記構成において、この傾斜角センサー４０がノート型パーソナルコンピュ−ター３９の画像モニター装置本体１のモニターをキーボード側に閉める操作により、傾斜角センサー４０が作動し、現状の傾斜角を判断して、加湿送風量を制御することができる。
【０１６６】
また、画像モニター作業者が加湿手段２の運転状態で離席する際、ノート型パーソナルコンピュ−ター３９の画像モニター装置本体１のモニターは、キーボード側に閉じるが、
停止にすることを忘れる消し忘れによる安全装置としての機能である。
【０１６７】
さらに、方法としては、ノート型パーソナルコンピュ−ター３９のモニターをキーボード側に閉める操作より、加湿送風量を変更させ、傾斜角が変更することで、モニター使用者の目の周辺に加湿風量を供給できないために、加湿送風量を変更し減少させる制御である。通常、画像モニター使用者のノート型パーソナルコンピュ−ター３９のモニター角度は、図１５に示す通常傾斜角４１で９０°以上の角度で使用することが一般的である。
【０１６８】
また、９０°より小さい角度になること、加湿送風は画像モニター使用者の目の周辺に送風するのではなく、ノート型パーソナルコンピュ−ター３９を支えている机などの土台に送風することになり、長時間送風すると結露することが考えられるために、傾斜角制御開始レベル４２を傾斜角９０°と設定した。
【０１６９】
さらに、ノート型パーソナルコンピュ−ター３９のキーボード周辺にも加湿送風が当たるため、電子機器としては水分の浸入を防止したいために、傾斜角を段階的に閉じると風量を減少することとした。傾斜角と送風風量の関係として、傾斜角８０°になった時点で全風量を停止することとした、理由として、通常、ノート型パーソナルコンピュ−ター３９のモニター画面を見る場合、モニター画面を見下ろすことが一般的であり、画面の傾斜が８０°より小さい環境で画面を見ながら操作することは困難であるためである。
【０１７０】
また、キーボード周辺に加湿送風が直接当たらないように設定した。そして、そのレベルを傾斜角制御終了レベル４３とした。
【０１７１】
さらに、傾斜角制御開始レベル４２から傾斜角制御終了レベル４３の角度は１０°のため、能力を１００％から０％へダウンするために、傾斜角度を１％キーボード側に閉じる毎に、送風量を１０％ずつ能力ダウンすることとする。
【０１７２】
また、モニターの傾斜角度が規定の角度を超えた場合、送風異常と判断し、送風を停止することをする。異常と判断する傾斜角度は、傾斜角制御終了レベル４３とし、８０°未満になった場合、運転を即座に停止することで、電子機器の安全性と無駄な送風となる電力の削減を目的とする。
【０１７３】
さらに、運転復帰の条件は、傾斜角制御終了レベル４３の傾斜角が８０°以上になった時点で運転復帰を開始する。最後に、電源リセットによる運転復帰は出来ないことにすることで安全性を確保する構成とする。
【図面の簡単な説明】
【０１７４】
【図１】本発明の実施の形態１の画像モニター用加湿装置を示す側面視図
【図２】同画像モニター用加湿装置の正面図
【図３】同画像モニター用加湿装置の側視断面図
【図４】同画像モニター用加湿装置の加湿槽部分の側視断面図
【図５】同画像モニター用加湿装置の構成を示したブロック図
【図６】同実施の形態２の画像モニター用加湿装置のＵＳＢケーブル接続の正面図
【図７】同実施の形態３の画像モニター用加湿装置の画像モニター表示の正面図
【図８】同実施の形態４の画像モニター用加湿装置とパーソナルコンピュ−ターの構成を示したブロック図
【図９】同実施の形態５の画像モニター用加湿装置とパーソナルコンピュ−ターの構成を示したブロック図
【図１０】同実施の形態６の画像モニター用加湿装置とパーソナルコンピュ−ターの構成を示したブロック図
【図１１】同実施の形態７の画像モニター用加湿装置の加湿送風風速変更時の構成を示したブロック図
【図１２】同画像モニター用加湿装置の加湿送風風速変更時の風速設定と揺らぎ運転を示す図（（ａ）は同風速と送風持続時間との関係を示すグラフ、（ｂ）は運転制御、運転方法（１／ｆ揺らぎ運転、風量一定運転）と同運転時間の関係を示すグラフ）
【図１３】同実施の形態８の画像モニター用加湿装置の人体感知手段の配置を示す図、（（ａ）は同画像モニター用加湿装置の人体感知手段の配置を示した正面図、（ｂ）は同画像モニター用加湿装置の人体感知手段の概略構成を示した構成図）
【図１４】同画像モニター用加湿装置の人体感知手段を示す図（（ａ）は同画像モニター用加湿装置の人体感知手段の構成を示したブロック図、（ｂ）は同人体感知時間に対する揺らぎ運転を示すグラフ）
【図１５】同実施の形態９の画像モニター用加湿装置を示す図（（ａ）は同画像モニター用加湿装置の傾斜角度を示す側面視図、（ｂ）は同画像モニター用加湿装置の傾斜角度検出手段の配置を示した正面図）
【図１６】従来の一般的な加湿装置示す側面視断面図
【符号の説明】
【０１７５】
１    画像モニター装置本体
２    加湿手段
３    加湿機外郭
４    加湿槽
５    超音波振動素子
６    送風装置
７    制御手段
８    吸気開口
９    送風開口
１０  給水タンク
１１  加湿水検出手段
１２  フロート
１３  フロート軸
１４  磁石
１５  リードスイッチ
１６  固定凸部
１７  マイクロコンピューター
１８  高周波電圧発生回路
１９  送風装置駆動回路
２０  電源回路
２１  パーソナルコンピュ−ター
２２  電源線
２３  キーボード
２４  ユニバーサルシリアルバス（ＵＳＢ）ケーブル
２５  ユニバーサルシリアルバス（ＵＳＢ）接続部
２６  画像モニター表示
２７  通信回路
２８  制御手段
２９  電源回路
３０  通信回路
３１  マイクロコンピューター
３２  時間設定タイマー
３３  駆動部品
３４  直流電動機
３５  可変直流電源
３６  人体感知手段
３７  赤外線発光ダイオード素子
３８  赤外線受光フォトトランジスター
３９  ノート型パーソナルコンピュ−ター
４０  傾斜角センサー
４１  通常傾斜角度
４２  傾斜角制御開始レベル
４３  傾斜角制御終了レベル
【図１】
2007139354.tif 000003
【図２】
2007139354.tif 000004
【図３】
2007139354.tif 000005
【図４】
2007139354.tif 000006
【図５】
2007139354.tif 000007
【図６】
2007139354.tif 000008
【図７】
2007139354.tif 000009
【図８】
2007139354.tif 000010
【図９】
2007139354.tif 000011
【図１０】
2007139354.tif 000012
【図１１】
2007139354.tif 000013
【図１２】
2007139354.tif 000014
【図１３】
2007139354.tif 000015
【図１４】
2007139354.tif 000016
【図１５】
2007139354.tif 000017
【図１６】
2007139354.tif 000018